(57)【要約】【課題】体操競技、陸上競技等に滑り止め剤として用いる炭酸マグネシュームは粉体で用いるため使用時に飛散し健康上良くない。飛散した粉体は床、マットなどに付着し競技運動中に更に飛散し常に健康上悪影響がある。また炭酸マグネシュームは単一粉体として用いられるために個々の競技者に合った滑り性と摩擦性に調整出来ないという課題がある。【解決手段】炭酸マグネシュームを水、又はアルコールと水の混合液体に分散させ水溶性高沸点液体及び水溶性高分化合物を配合した液状組成物とする。【特許請求の範囲】
【請求項１】
炭酸マグネシュームが１００．０重量部に対して成分（Ａ）として水、又は沸点が１００℃以下の水溶性液体と水の混合液が１３０．０重量部から４００．０重量部、成分（Ｂ）として沸点が１７０℃以上の水溶性液体が２．０重量部から３０．０重量部、成分（Ｃ）として水溶性高分子化合物が０．０重量部から３．０重量部からなる液状滑り止め組成物。
【請求項２】
成分（Ａ）が水又は沸点が１００℃以下の水溶性一価アルコールと水との混合液であり、成分（Ｃ）が０．１重量部から３．０重量部である請求項１の液状滑り止め組成物。
【請求項３】
成分（Ａ）が水、又はエチルアルコールと水の混合液であり、成分（Ｂ）が１，３−プロピレングリコール、１、３−ブチレングリコール、２、３−ブチレングリコール、グリセリン、分子量６００以下のポリエチレングリコールから選ばれた１種または２種以上の混合液である請求項１及び請求項２の液状滑り止め組成物。
【請求項４】
成分（Ｃ）がポリビニルアルコール、ポリアクリル酸ナトリウム、カルボキシビニルポリマー、ポリエチレンオキシド、ポリビニルピロリドン、ヒアルロン酸、ヒアルロン酸ナトリウム、分子量１万から２万のポリエチレングリコールから選ばれた一種または２種以上の高分子化合物である請求項１、請求項２及び請求項３の液状滑り止め組成物。
【発明の詳細な説明】
【技術分野】
【０００１】  鉄棒、跳馬、床体操、平行棒等の体操競技、槍投げ、円盤投げ、ハンマー投げ、棒高跳び等の陸上競技或いは重量挙げ競技等の競技で使用される滑り止め剤に関する。
【背景技術】
【０００２】  上記の競技では競技者は手、器具等に滑り止め剤を使用している。滑り止め剤を全く使用しない場合は競技に大きな支障があるばかりでなく大きな危険をともない逆に何かの手段で極端に滑らないようにすると同様の問題を生じこの間に滑り性と摩擦性がかね合う使いやすい範囲がある。炭酸マグネシュームは滑り性と摩擦性が略かね合う使いやすい滑り止め剤であり使用後は水で洗い流すことができることから長く使用され続けている。
【先行技術文献】
【特許文献】
【０００３】
【特許文献１】特開２００８−１３２３９９
【非特許文献】
【０００４】
【非特許文献１】順天堂大学スポーツ健康科学部／大学院スポーツ健康科学研究科  体操競技場ホームページ  ｈｔｔｐ：／／ｊｙｕｎｎｔｅｎｎｄｏ．ａｃ．ｊｐ／ｈｓｓ／ＯＧＡ／ＯＧＡ．ｈｔｍｌ
【発明の概要】
【発明が解決しようとする課題】
【０００５】  炭酸マグネシュームは、粉体として用いるため使用時或いは余分な炭酸マグネシュームを払い落す際に空気中に飛散しそれを吸引する等健康上改善すべき課題がある。また飛散した粉体は室内競技では床、マット、器具などに付着し競技中或いは運動中に繰り返し飛散し常時健康に悪影響を及ぼす。特にジュニア競技者にとっては改善すべき大きな課題である。その対策として特開２００８−１３２３９９では体操競技の炭酸マグネシューム粉末捕集回収装置が開示されている。また順天堂大学スポーツ健康科学部／大学院スポーツ健康科学研究科のホームページには体操競技場の炭酸マグネシューム飛散対策として置換空調実施の記載がある。しかし空気中に飛散した粉体を完全に回収するためにはかなりの装置費用がかかり、かなりのランニングコストがかかる。【０００６】  一方炭酸マグネシュームは滑り止め剤として長く使用され続けているが、競技レベルの高度化等に伴い個々の競技者の好みに合った滑り止め剤が求められつつある。このような課題に対し場合により炭酸マグネシュームの粉体に水、砂糖水又は塩水を混ぜるという手法がとられることがある。しかしこの手法は手等に施す際の飛散防止対策にはなるが、時間の経過とともに水分が蒸発することにより使いやすいコンディションを維持して競技を続けることは容易ではない。また水分が完全に蒸発した後は最終的に粉体になることで飛散の課題が残る。他の手法として場合により適当量の蜂蜜を混合する手法がとられる場合がある。しかし蜂蜜は特有の臭気があり競技環境として好ましくなく、食とするものを材料にすることへの懸念、簡単に洗い流すことが出来ないこと、更に糖質分が一般的に７０重量％以上含有し他にたんぱく質が含有する等長く床、マット、器具等に付着している場合には不衛生になること等の課題がある。
【課題を解決するための手段】
【０００７】  本発明の滑り止め剤は炭酸マグネシュームが１００．０重量部に対して成分（Ａ）として水、又は沸点が１００℃以下の水溶性液体と水の混合液が１３０．０重量部から４００．０重量部、成分（Ｂ）として沸点が１７０℃以上の水溶性液体が２．０重量部から３０．０重量部、成分（Ｃ）として水溶性高分子化合物が０．０重量部から２．０重量部よりなる液状滑り止め組成物とする。
【発明の効果】
【０００８】  本組成物は手、器具等に施す際に炭酸マグネシュームが粉体として飛散しない効果がある。また競技中或いは運動中にも粉体とならないため飛散を防止する効果がある。更に食とするものを材料とせずに摩擦性と滑り性の調整を可能とし、その状態を維持可能とする効果がある。更に水により簡単に洗い流すことが出来るほか、副次的効果として粉体状よりも容積を小さくすることが出来る。
【発明を実施するための形態】
【０００９】  本発明は炭酸マグネシューム１００．０重量部に対し成分（Ａ）を１３０．０重量部から４００．０重量部、好ましくは１３５．０重量部から３５０．０重量部含む。１３０．０重量部より少ない場合には手、器具等に施す際に十分に流動しづらく実用性が乏しい。４００．０重量部より多い場合には手、器具等に施す際に炭酸マグネシュームの付着量が少なく滑り止め効果が十分に発揮しない。また成分（Ａ）を４００．０重量部用いた場合、容積を粉体時に比べ約１／２程度に軽減出来る副次的効果がある。本液状滑り止め組成物は、炭酸マグネシュームの粉体を成分（Ａ）に分散させることにより手等に施す際に飛散しないようにすることができる。しかし手等に施した後大体２分間以内好ましくは１分間以内に手等の表面は実質的に略乾燥状態になることが好ましく、そのために沸点１００℃以下の水溶性液体と水との混合液を用いることが好ましい。沸点１００℃以下の水溶性液体の例としてはメチルアルコール、エチルアルコール、ノルマルプロピルアルコール、イソプロピルアルコール、第三ブチルアルコール、アセトン等が使用可能であるが、一価アルコールが好ましく、特にエチルアルコール、第三ブチルアルコールが好ましい。水とこれら液体との混合割合は本組成物に含まれる成分（Ｂ）及び成分（Ｃ）を配合する際に支障をきたさない混合割合の範囲であれば特に制限はない。
【００１０】  本組成物は成分（Ｂ）として沸点が１７０℃以上の水溶性液体が２．０重量部から３０．０重量部好ましくは２．５重量部から２０．０重量部含有する。２．０重量部より少ない場合は成分（Ａ）が蒸発後に炭酸マグネシュームが粉体状になり易い。３０．０重量部より多い場合は滑り性が大きくなり滑り止め剤として支障が出る。この間の配合量は競技者の好みによって調整し得る。成分（Ｂ）は、通常の使用温度範囲で液体でなければならない。例としては、ジエチレングリコール、トリエチレングリコール、１，２−プロピレングリコール、１，２−ブチレングリコール、２，３−ブチレングリコール、ジプロピレングリコール、ヘプタンジオールー２，４、ヘキサンジオールー２，４、ジエチレングリコールモノエチルエーテルアセテート、トリエチレングリコールモノメチルエーテルアセテート、グリセリン、分子量が６００以下のポリエチレングリコール等が使用し得る。
【００１１】  本組成物には成分（Ｃ）として水溶性高分子化合物を０．０重量部から３．０重量部好ましくは０．１重量部から２．０重量部含有する。これらを含有することにより更に滑り性と摩擦性の微調整が可能になり、また柔らかさや硬さの調整が可能になる。２．０重量部より多い場合には高分子化合物特有の性質が過剰に出現し炭酸マグネシュームが本来持つ性能が損なわれる。この間の配合量は競技者の好みによって調整し得る。これら高分子化合物の配合量は成分（Ａ）に溶解し得る配合量であれば特に制限はない。配合工程としては成分（Ｃ）を成分（Ａ）及び成分（Ｂ）に均一になるように十分な時間をかけ注意深く溶解させた後に炭酸マグネシュームを入れて撹拌し更に均一にする。また成分（Ｂ）と成分（Ｃ）とは相溶性が良好であることが好ましいが、本液状滑り止め組成物として均一分散していれば必ずしも相溶性が良好でなくてもよい。成分（Ｃ）の水溶性高分子化合物の例としてはポリビニルアルコール、ポリアクリル酸ナトリウム、カルボキシビニルポリマー、ポリエチレンオキシド、ポリビニルピロリドン、ヒアルロン酸、ヒアルロン酸ナトリウム、分子量１万から２万のポリエチレングリコール等が使用し得る。その他に本組成物にトコフェノール、メチルパレベン、プロピルパラベン等の殺菌剤、防腐剤等を適量添加しても良い。更に競技種の好み等から適当量の顔料を含有させてもよくその量は本来の使用目的に支障のない範囲内であれば特に制限はない。
【実施例】
【００１２】実施例１  炭酸マグネシューム１００．０重量部に対して成分（Ａ）として水２００．０重量部、成分（Ｂ）としてグリセリン１０．０重量部を配合し均一に撹拌した。その後手のひらに試料を０．５ｇ滴下し両手を３回すり合わせ均一にし、１分間放置及び１０分間放置した後、セロテープを用いた剥離テストにより炭酸マグネシュームの手のひらからの取れやすさを評価した。更に同様に手のひらに試料を０．５ｇ滴下し両手を３回すり合わせ均一にして２分間放置後及び１０分間放置後に直径２８ｍｍの鉄棒にぶらさがり、揺れることにより使い易さを感性的に評価した。結果を表１に示す。【００１３】実施例２  炭酸マグネシューム１００．０重量部に対して成分（Ａ）として水１００．０重量部とエタノール２００．０重量部の混合液、成分（Ｃ）としてジエチレングリコールモノエチルエーテルアセテート２０．０重量部を配合し均一になるように撹拌し実施例１と同じ操作で同じ評価を行った。結果を表１に示す。【００１４】実施例３  成分（Ａ）として水１００．０重量部とエチルアルコール１００重量部の混合液に成分（Ｃ）としてポリアクリル酸ナトリウムの粉末０．１重量部を撹拌をしながら少しづつ添加し一晩放置して均一溶液を作成した。そこへ炭酸マグネシューム１００重量部及び成分（Ｂ）として１，３−ブチレングリコール１０．０重量部を入れ更に均一になるように撹拌し実施例１と同じ操作で同じ評価を行った。結果を表１に示す。【００１５】比較例１  炭酸マグネシューム１００．０重量部だけを手のひらに約０．５ｇを載せ両手を摺り合わせて均一になるようした後実施例１と同じ操作で同じ評価を行った。結果を表１に示す。【００１６】比較例２  炭酸マグネシューム１００．０重量部、成分（Ａ）として水２００．０重量部を配合し均一になるように撹拌し実施例１と同じ操作で同じ評価を行った。結果を表１に示す。
【表１】
2019026545.tif 000002